【手続補正書】
【提出日】平成24年2月27日(2012.2.27)
【手続補正１】
【補正対象書類名】明細書
【補正対象項目名】発明の名称
【補正方法】変更
【補正の内容】
【発明の名称】画像処理装置、その制御方法、及びプログラム
【手続補正２】
【補正対象書類名】明細書
【補正対象項目名】００１２
【補正方法】変更
【補正の内容】
【００１２】
上記目的を達成するため、本発明の画像処理装置は、ネットワークを介して１つのジョブを複数の画像処理装置で連携して実行する場合の連携先の画像処理装置であって、前記ジョブを実行する制御手段と、前記ジョブに係る画像データの消去方法であって、連携元の画像処理装置から指定された前記画像データの消去方法を実行できるか否かを判別する第１の判別手段とを備え、前記第１の判別手段によって前記連携元の画像処理装置から指定された前記画像データの消去方法を実行できないと判別された場合に、前記制御手段は、不揮発性の記憶媒体ではなく揮発性の記憶媒体に前記画像データを格納して前記ジョブを実行することを特徴とする。
上記目的を達成するため、本発明の画像処理装置は、ネットワークを介して１つのジョブを複数の画像処理装置で連携して実行する場合の連携元の画像処理装置であって、前記ジョブに係る画像データの消去方法を連携先の画像処理装置が実行できるか否かを判別する判別手段と、前記判別手段によって前記画像データの消去方法を連携先の画像処理装置が実行できると判別された場合に、前記画像データを前記連携先の画像処理装置に送信し、前記判別手段によって前記画像データの消去方法を連携先の画像処理装置が実行できないと判別された場合に、前記画像データを前記連携先の画像処理装置に送信しない送信手段とを備えることを特徴とする。
【手続補正３】
【補正対象書類名】特許請求の範囲
【補正対象項目名】全文
【補正方法】変更
【補正の内容】
【特許請求の範囲】
【請求項１】
ネットワークを介して１つのジョブを複数の画像処理装置で連携して実行する場合の連携先の画像処理装置であって、
前記ジョブを実行する制御手段と、
前記ジョブに係る画像データの消去方法であって、連携元の画像処理装置から指定された前記画像データの消去方法を実行できるか否かを判別する第１の判別手段とを備え、
前記第１の判別手段によって前記連携元の画像処理装置から指定された前記画像データの消去方法を実行できないと判別された場合に、前記制御手段は、不揮発性の記憶媒体ではなく揮発性の記憶媒体に前記画像データを格納して前記ジョブを実行することを特徴とする画像処理装置。
【請求項２】
前記第１の判別手段によって前記連携元の画像処理装置から指定された前記画像データの消去方法を実行できると判別された場合に、前記制御手段は、前記不揮発の記憶媒体に前記画像データを格納して前記ジョブを実行し、前記ジョブが完了した後に、前記連携元の画像処理装置から指定された前記画像データの消去方法を実行することで前記画像データを消去することを特徴とする請求項１に記載の画像処理装置。
【請求項３】
前記第１の判別手段によって前記連携元の画像処理装置から指定された前記画像データの消去方法を実行できないと判別された場合に、前記制御手段は、前記連携元の画像処理装置に対して複数ページに係る前記画像データを一括して送信しないように要求することを特徴とする請求項１又は２に記載の画像処理装置。
【請求項４】
前記第１の判別手段によって前記連携元の画像処理装置から指定された前記画像データの消去方法を実行できないと判別された場合に、前記制御手段は、前記連携元の画像処理装置に対して複数ページに係る前記画像データを１ページ単位で送信するように要求することを特徴とする請求項１乃至３の何れか１項に記載の画像処理装置。
【請求項５】
前記第１の判別手段によって前記連携元の画像処理装置から指定された前記画像データの消去方法を実行できると判別された場合に、前記制御手段は、前記連携元の画像処理装置に対して複数ページに係る前記画像データを一括して送信するように要求することを特徴とする請求項１乃至４の何れか１項に記載の画像処理装置。
【請求項６】
前記第１の判別手段によって前記連携元の画像処理装置から指定された前記画像データの消去方法を実行できないと判別された場合に、前記画像データを前記揮発性の記憶媒体に格納することができるか否かを判別する第２の判別手段を更に備え、
前記第２の判別手段によって前記像データを前記揮発性の記憶媒体に格納することができると判別された場合に、前記制御手段は、前記揮発性の記憶媒体に前記画像データを格納して前記ジョブを実行することを特徴とする請求項１乃至５の何れか１項に記載の画像処理装置。
【請求項７】
前記第２の判別手段によって前記像データを前記揮発性の記憶媒体に格納することができないと判別された場合に、前記制御手段は、前記ジョブを実行しないことを特徴とする請求項６に記載の画像処理装置。
【請求項８】
前記画像データの消去方法は、ランダムデータの上書き回数を示すことを特徴とする請求項１乃至７の何れか１項に記載の画像処理装置。
【請求項９】
前記不揮発性の記憶媒体はＨＤＤであることを特徴とする請求項１乃至８の何れか１項に記載の画像処理装置。
【請求項１０】
前記揮発性の記憶媒体はＲＡＭであることを特徴とする請求項１乃至９の何れか１項に記載の画像処理装置。
【請求項１１】
ネットワークを介して１つのジョブを複数の画像処理装置で連携して実行する場合の連携元の画像処理装置であって、
前記ジョブに係る画像データの消去方法を連携先の画像処理装置が実行できるか否かを判別する判別手段と、
前記判別手段によって前記画像データの消去方法を連携先の画像処理装置が実行できると判別された場合に、前記画像データを前記連携先の画像処理装置に送信し、前記判別手段によって前記画像データの消去方法を連携先の画像処理装置が実行できないと判別された場合に、前記画像データを前記連携先の画像処理装置に送信しない送信手段とを備えることを特徴とする画像処理装置。
【請求項１２】
前記判別手段は、前記画像データの消去方法を前記連携先の画像処理装置が実行できない場合であっても、前記連携先の画像処理装置が不揮発性の記憶媒体ではなく揮発性の記憶媒体に前記画像データを格納して前記ジョブを実行することができる場合には、前記画像データの消去方法を前記連携先の画像処理装置が実行できると判別することを特徴とする請求項１１に記載の画像処理装置。
【請求項１３】
前記不揮発性の記憶媒体はＨＤＤであることを特徴とする請求項１２に記載の画像処理装置。
【請求項１４】
前記揮発性の記憶媒体はＲＡＭであることを特徴とする請求項１２に記載の画像処理装置。
【請求項１５】
前記画像データの消去方法は、ランダムデータの上書き回数を示すことを特徴とする請求項１１乃至１４のいずれか１項に記載の画像処理装置。
【請求項１６】
前記判別手段は、前記連携先の画像処理装置に問い合わせを行うことで、前記画像データの消去方法を前記連携先の画像処理装置が実行できるか否かを判別することを特徴とする請求項１１乃至１５の何れか１項に記載の画像処理装置。
【請求項１７】
ネットワークを介して１つのジョブを複数の画像処理装置で連携して実行する場合の連携先の画像処理装置の制御方法であって、
前記ジョブを実行する制御工程と、
前記ジョブに係る画像データの消去方法であって、連携元の画像処理装置から指定された前記画像データの消去方法を実行できるか否かを判別する第１の判別工程とを備え、
前記第１の判別工程によって前記連携元の画像処理装置から指定された前記画像データの消去方法を実行できないと判別された場合に、前記制御工程は、不揮発性の記憶媒体ではなく揮発性の記憶媒体に前記画像データを格納して前記ジョブを実行することを特徴とする画像処理装置の制御方法。
【請求項１８】
請求項１７に記載の画像処理装置の制御方法をコンピュータにより実行させるためのコンピュータで読み取り可能なプログラム。
【請求項１９】
ネットワークを介して１つのジョブを複数の画像処理装置で連携して実行する場合の連携元の画像処理装置の制御方法であって、
前記ジョブに係る画像データの消去方法を連携先の画像処理装置が実行できるか否かを判別する判別工程と、
前記判別工程によって前記画像データの消去方法を連携先の画像処理装置が実行できると判別された場合に、前記画像データを前記連携先の画像処理装置に送信し、前記判別工程によって前記画像データの消去方法を連携先の画像処理装置が実行できないと判別された場合に、前記画像データを前記連携先の画像処理装置に送信しない送信工程とを備えることを特徴とする画像処理装置の制御方法。
【請求項２０】
請求項１９に記載の画像処理装置の制御方法をコンピュータにより実行させるためのコンピュータで読み取り可能なプログラム。